(57)【要約】【課題】熟練した技術を要さず、誰でも容易に、半切れを生じさせずに細かく綺麗に頭髪を梳くことができ、しかも１０％以下のかなり少ないカット量にすることも容易に可能な調髪用梳鋏を提供する。【解決手段】櫛歯状に並列した多数の刃１２を有する櫛形刃１０と直刃とを枢支軸により開閉自在に結合してなる調髪用梳鋏として、前記櫛形刃１０における櫛歯状の各刃１２の先端刃部１２ａは、その刃幅方向略中央部を溝状に切欠形成するとともに、刃幅方向両側面１２ｄ，１２ｄを斜めに面取り形成し、切欠溝１２ｂにより二股状になる両側部分１２ｃ，１２ｃを先端ほど漸次幅狭にする。【選択図】        図２
2005323951.tif 000002
【特許請求の範囲】
【請求項１】
櫛歯状に並列した多数の刃を有する櫛形刃と直刃とを枢支軸により開閉自在に結合してなる調髪用梳鋏であって、
前記櫛形刃における櫛歯状の各刃の先端刃部は、その刃幅方向略中央部が溝状に切欠形成されるとともに刃幅方向両側面が斜めに面取り形成され、前記切欠溝により二股状をなす両側部分が先端ほど漸次幅狭になっていることを特徴とする調髪用梳鋏。
【請求項２】
前記櫛歯状の各刃の前記先端刃部における前記切欠溝が略Ｖ字形もしくは略Ｕ字形をなし、該切欠溝により二股状をなす両側部分が略三角形状をなしている請求項１に記載の調髪用梳鋏。
【請求項３】
前記櫛形刃は、その刃体部における先端側部分と前記枢支軸に近い基部側部分とで櫛状の各刃の並列間隔を異にし、前記先端側部分の並列間隔を前記基部側部分の並列間隔よりも細かく設定してなる請求項１または２に記載の調髪用梳鋏。
【請求項４】
前記櫛歯状の各刃の幅が０．３〜０．６ｍｍ、前記先端刃部の切欠溝の溝幅が０．１〜０．４ｍｍである請求項１〜３のいずれか１項に記載の調髪用梳鋏。
【発明の詳細な説明】
【技術分野】
【０００１】
本発明は、櫛歯状に並列した多数の刃を有する櫛形刃と直刃とを枢支軸により開閉自在に結合してなる所謂調髪用梳鋏に関するものである。
【背景技術】
【０００２】
櫛歯状に並列した多数の刃を備える櫛形刃と直刃とを枢支軸で開閉自在に結合してなる所謂梳鋏は、調髪の際に、毛髪量を調整したり、通常の鋏によるカットラインを目立たせないようにするために使用されるものであり、特に近年は、通常の鋏を使わずに梳鋏のみで髪をカットするのにも使用されている。
【０００３】
ところで、かかる梳鋏の使用において、人それぞれの頭髪量や好みによってカット量は多種多様であり、１０％以下、例えば、数％のごく僅かなカット量でよい場合がある。
【０００４】
従来の梳鋏は、カット量が少ないものでも１５％以上はあるのが普通であり、１０％数以下のごく僅かなカット量にするのは容易でなく、技術的にかなりの熟練を要することになる。
【０００５】
例えば、従来の一般的な梳鋏は、図５のように、櫛形刃１１０の櫛歯状の各刃１１２の先端刃部１１２ａが単なる平形をなすものであって、毛髪をカットする際に先端刃部１１２ａに載った毛髪の大部分が各刃１１２，１１２間のスリット部１１４に滑り落ちるために、刃幅をやや大きくしカット量を多めに設定しているのが普通であり、そのカット量の調整、特にはカット量を１０％以下に調整するのは技術的にきわめて難しいものである。その上、毛髪が刃部から滑り落ちる途中でその刃部端でカットされる結果、図６（ａ）（ｂ）のように、毛髪Ｈの一部分（半部分）が切断された状態、所謂半切れ状態が生じることも多い。ｈ１は半切れ部分を示す。
【０００６】
また、図７のように、前記櫛歯状の各刃１１２の先端刃部１１２ａに載る毛髪をある程度保持できるように、先端刃部１１２ａの中央部に切欠溝１１２ｂを形成した場合にも、前記切欠溝１１２ｂの両側に残存する刃部の部分１１２ｃ，１１２ｃに載る毛髪が滑り落ちる結果、各刃毎のカット量に多少の差異が生じる上、前記同様の半切れが生じることになる。
【０００７】
このような半切れ状態が生じると、その後の洗髪時やセット時に完全に切断して落下することになり、被理容者に嫌がられ、理髪店や美容院等の評判にも影響する。
【０００８】
鋏自体のカット量を少なくするためには、櫛状の各刃の刃幅を小さくしてかつ各刃の並列間隔（ピッチ）を粗くすればよいが、刃幅を小さくするのは、使用上の強度面等から限度があって、せいぜい０．３ｍｍ程度までであり、それよりも細幅にすることができないものである。また、各刃の並列間隔が粗くなり過ぎると、毛髪をカットする部分が疎らになりすぎて、細かく綺麗に梳くことができないことになるので、各刃の間隔を大きくするのにも限度がある。
【０００９】
例えば、下記の特許文献１に開示のように、櫛歯状の各刃の先端刃部にＶ字状の切欠溝を形成した場合、半切れ状態が生じないものの、その溝幅が刃幅と同一になるため、上述したように刃幅を小さくするのには限度があり、カット量を１０％以下にするには前記同様の問題が生じることになる。
【特許文献１】特開平８−２９９６２３号公報
【発明の開示】
【発明が解決しようとする課題】
【００１０】
本発明は、上記に鑑みてなしたものであり、熟練した技術を要さず、誰でも容易に、半切れを生じさせずに細かく綺麗に頭髪を梳くことができ、しかも１０％以下のかなり少ないカット量にすることも容易に可能な調髪用梳鋏を提供するものである。
【課題を解決するための手段】
【００１１】
本発明は、櫛歯状に並列した多数の刃を有する櫛形刃と直刃とを枢支軸により開閉自在に結合してなる調髪用梳鋏であって、前記櫛形刃における櫛歯状の各刃の先端刃部は、その刃幅方向略中央部が溝状に切欠形成されるとともに刃幅方向両側面が斜めに面取り形成され、前記切欠溝により二股状をなす両側部分が先端ほど漸次幅狭になっていることを特徴とする。
【００１２】
この調髪用梳鋏によれば、これにより毛髪をカットする際、櫛歯状の各刃の先端刃部に載る毛髪の一部が、この先端刃部の中央部に有する切欠溝に入り、滑り落ちが規制されて保持されるとともに、前記切欠溝外の二股の両側部分に当たる毛髪は、面取りされ傾斜した側面に沿って滑り落ちるため、各刃によりカットされる毛髪は前記切欠溝に保持されるものだけになり、各刃毎のカット量を一定に保つことができ、また毛髪に半切れ状態を生じさせることもない。
【００１３】
しかも、前記のように、カット量を一定に保つことができるため、該各刃の幅よりも狭い前記切欠溝の幅によってカット量を設定でき、各刃の並列間隔、各刃の幅を適宜設定することにより、カット量を数％に設定することも容易に可能になる。
【００１４】
前記の調髪用梳鋏において、前記櫛歯状の各刃の前記先端刃部における前記切欠溝が略Ｖ字形もしくは略Ｕ字形をなし、該切欠溝により二股状をなす両側部分が略三角形状をなしているものが好ましい。
【００１５】
すなわち、この場合、前記各刃の二股状の両側部分が三角状をなし、その先端の頂部が殆ど刃幅を持たないため、該両側部分の頂部に毛髪が載った状態でカットされることがなく、そのため半切れ状態が生じることがないものとなる。
【００１６】
前記櫛形刃は、櫛歯状の多数の刃が並列している刃体部における先端側部分と前記枢支軸に近い基部側部分とで櫛歯状の各刃の並列間隔を異にし、前記先端側部分の並列間隔を前記基部側部分の並列間隔よりも細かく設定してなるものとすることができる。この場合、毛髪のカット量に応じて刃体部の先端側部分と基部側部分とを適宜使い分けでき、例えば、通常は先端側部分でカットすることとして、カット量をさらに少なくするときは基部側部分でカットするように使い分けることにより、一つの梳鋏でカット量を変化させることができ、さらに綺麗に梳くことができる。
【００１７】
前記各発明の前記櫛歯状の各刃の幅が０．３〜０．６ｍｍ、前記先端刃部の切欠溝の溝幅が０．１〜０．４ｍｍであるものが好ましく、これにより各刃の強度を確保しながら一層少ないカット量に設定することが可能になる。
【発明の効果】
【００１８】
本発明の調髪用梳鋏によれば、誰でも容易に頭髪を全体として細かくかつ半切れを生じさせずに綺麗にカットでき、しかも１０％以下のかなり少ないカット量にするのも容易に可能になる。
【発明を実施するための最良の形態】
【００１９】
次に本発明の実施の形態を図面に示す実施例に基づいて説明する。
【００２０】
図１は本発明の調髪用梳鋏の正面図、図２は同上の梳鋏における櫛形刃の一部を示す拡大正面図、図３は同上の断面図、図４は櫛状の刃の先端刃部の拡大正面図である。
【００２１】
この実施例の調髪用梳鋏Ａは、一端側の刃体部１１が櫛歯状に所定の間隔で並列した多数の刃１２を有するものよりなる所謂櫛形刃１０と、かつ一端側の刃体部２１が連続した刃をなしている直刃２０とが、中間の枢支軸３０により前記両刃体部１１，２１同士が摺り合わせ状態で開閉自在に結合されてなる。なお、前記櫛形刃１０および直刃２０の他端部にはそれぞれリング状の指掛け部１３，２３が設けられている。この指掛け部１３，２３ついては、図示する形状をなすものには限らず、この種の調髪用鋏に適する種々の形態での実施が可能である。１４は前記各刃１２，１２間のスリット部を示す。
【００２２】
そして、本発明の実施例にかかる調髪用梳鋏Ａの場合、前記櫛形刃１における櫛歯状の各刃１２の先端刃部１２ａは、その刃幅方向の略中央部が例えば略Ｖ字形もしくは略Ｕ字形の溝状に切欠形成されるとともに、刃幅方向の両側面が斜めに面取り形成されることにより、前記切欠溝１２ｂにより二股状に分岐形成される両側部分１２ｃ，１２ｃが先端ほど漸次幅狭になるように、つまりは図のように略三角形状をなすように形成されており、その頂部に殆ど刃幅を有さないように形成されている。図中の１２ｄ，１２ｄは面取り形成した側面を示す。
【００２３】
前記櫛歯状の各刃１２の幅Ｗ１、前記先端刃部１２ａの切欠溝１２ｂの溝幅Ｗ２、及び各刃１２の並列間隔（ピッチ）については、設定するカット量等に応じて適宜設定できるが、特にカット量を少なくする場合は、前記各刃１２の幅Ｗ１は０．３〜０．６ｍｍ、好ましくは０．３〜０．４ｍｍ、また前記切欠溝１２ｂの溝幅Ｗ２は、せいぜい１本もしくは数本の毛髪が入る程度の０．１〜０．４ｍｍの範囲、より好ましくは０．１〜０．２５ｍｍの範囲に設定するのが、前記各刃１２の強度を適度に確保できて、しかもカット量を少なくでき、実施上特に好ましいものである。
【００２４】
なお、各刃１２の並列間隔、特に隣接する櫛歯状の各刃１２，１２同士間の間隔、つまりはスリット部１４の幅については、通常、前記刃１２の幅Ｗ１の１．０〜５．０倍、好ましくは１．２〜３．０倍程度に設定しておくのがよく、これにより、比較的細かく毛髪を梳くことができることになる。
【００２５】
図示する実施例の調髪用梳鋏Ａの櫛形刃１０の場合は、櫛歯状に多数の刃１２が並列している刃体部１１における先端側部分１１ａと、前記枢支軸３０に近い基部側部分１１ｂとで、櫛歯状の各刃１２の並列間隔（ピッチ）を異にし、前記先端側部分１１ａの並列間隔を前記基部側部分の並列間隔よりも細かく設定している。すなわち、前記先端側部分１１ａの各刃１２，１２同士間の間隔Ｐ１を、前記基部側部分１１ｂの各刃１２，１２同士間の間隔Ｐ２より細かくし、例えば、前記間隔Ｐ１を前記刃１２の幅Ｗ１の約１．５倍、前記間隔Ｐ２を前記幅Ｗ１の約３．０倍に設定している。
【００２６】
上記の構成よりなる本発明の調髪用梳鋏Ａによれば、毛髪をカットする際、櫛歯状の各刃１２の先端刃部１２ａに載る毛髪の一部、例えば１本もしくは数本が、この先端刃部１２ａの中央部に有する切欠溝１２ｂに入り、滑り落ちが規制されて保持されるとともに、前記切欠溝１２ｂ外の二股の両側部分１２ｃ，１２ｃに当たる毛髪は、斜めの面取りされ傾斜した側面１２ｄ，１２ｄに沿ってそのままスリット部１４に滑り落ちることになる。そのため、該両側部分１２ｃ，１２ｃの頂部に毛髪が載った状態でカットされることがなく、各刃１２によりカットされる毛髪は前記切欠溝１２ｂに保持されるものだけになり、以て各刃１２毎のカット量を一定に保つことができ、また毛髪に半切れ状態を生じさせることもない。
【００２７】
しかも、前記のように、カット量を一定に保つことができるため、該各刃１２の幅Ｗ１よりも狭い前記切欠溝１２ｂの溝幅Ｗ２によってカット量が定まり、各刃１２の並列間隔および各刃１２の溝幅を適宜設定することにより、カット量を数％に設定することも容易に可能になる。
【００２８】
また、図のように、前記櫛形刃１０の刃体部１１における先端側部分１１ａと基部側部分１１ｂとで櫛歯状の各刃１２の並列間隔を異にして、前記先端側部分の並列間隔を細かく設定してある場合、毛髪のカット量に応じて刃体部１１の先端側部分１１ａと基部側部分１１ｂとを使い分けでき、例えば、通常は先端側部分１１ａでカットすることとして、カット量をさらに少なくするときは基部側部分１１ｂでカットするように使い分けることにより、一つの梳鋏でカット量を変化させることができる。
【産業上の利用可能性】
【００２９】
本発明は、調髪の際に、毛髪量を調整したり、通常の鋏によるカットラインを目立たせないようにするために使用するための梳鋏として好適に利用できる。
【図面の簡単な説明】
【００３０】
【図１】本発明の調髪用梳鋏の正面図である。
【図２】同上の梳鋏における櫛形刃の一部を示す拡大正面図である。
【図３】前図Ｂ−Ｂ線の断面図である。
【図４】櫛状の刃の先端刃部の拡大正面図である。
【図５】従来の梳鋏の櫛形刃を例示する一部の略示正面図である。
【図６】毛髪の半切れ状態の毛髪一部の略示拡大正面図（ａ）と断面図（ｂ）である。
【図７】従来の梳鋏の櫛形刃の他の例を示す一部の略示正面図である。
【符号の説明】
【００３１】
Ａ：調髪用梳鋏
１０：櫛形刃
１１：刃体部
１１ａ：先端側部分
１１ｂ：基部側部分
１２：櫛歯状の刃
１２ａ：先端刃部
１２ｂ：切欠溝
１２ｃ，１２ｃ：両側部分
１２ｄ，１２ｄ：面取り形成した側面
１３：指掛け部
１４：スリット部
２０：直刃
２１：刃体部
２３：指掛け部
３０：枢支軸
Ｗ１：各刃の幅
Ｗ２：溝幅
Ｐ１：先端側部分の各刃の間隔
Ｐ２：基部側部分の各刃の間隔
【図１】
2005323951.tif 000003
【図２】
2005323951.tif 000004
【図３】
2005323951.tif 000005
【図４】
2005323951.tif 000006
【図５】
2005323951.tif 000007
【図６】
2005323951.tif 000008
【図７】
2005323951.tif 000009